(57)【要約】【課題】容器を傾斜させても中の流体パックが滑り落ちない流体パック用ピッチャーを提供する。【解決手段】流体パックを受け入れる筒体容器の側面に把手を設けるとともに、把手上方の容器側面に所定巾の切欠き部を形成し、把手を掴んだ手の親指と人差指で容器内の流体パックの１側縁辺を抓むことができるようにする。筒体容器の把手上方へ延びるフレームを設けるとともに、把手下方から底板まで延びる切欠き開口部を形成し、フレームと切欠き部の底板に流体パックの上、下縁辺角部を支持する上、下係着手段を設ける。筒体容器の底板に、流体パックの下部縁辺を受け入れる溝を形成してもよい。【選択図】　　　　　　図４
2004035082.tif 000002
【特許請求の範囲】
【請求項１】
流体パックを受け入れる筒体容器の側面に把手を設けるとともに、把手上方の容器側面に所定巾の切欠き部を形成し、把手を掴んだ手の親指と人差指で容器内の流体パックの１側縁辺を抓むことができるようにしたことを特徴とする流体パック用ピッチャー
【請求項２】
流体パックを受け入れる筒体容器の側面に把手を設けるとともに、容器上方へ延びるフレームを形成し、このフレームに容器内に収納した流体パックの上部縁辺を支持する上部係着手段を設け、さらに、筒体容器の把手下方から底板まで延びる切欠き開口部を形成し、切欠き開口部の底板縁辺に流体パックの下部縁辺を支持する下部係着手段を設けたことを特徴とする流体パック用ピッチャー
【請求項３】
筒体容器の底板に、前記切欠き開口部へ向けて延び、流体パックの下部縁辺を受け入れる溝を形成するとともに、この溝から底板の外側へ突出するフレームを形成し、このフレームに流体パックの下部縁辺を支持する前記下部係着手段を設けたことを特徴とする請求項２記載の流体パック用ピッチャー
【発明の詳細な説明】
【００１】
【発明の属する技術分野】
本発明は、袋詰めした洗剤、飲料、調味料などの流体パックを受け入れてパックのまま内容物を注ぐためのピッチャーに関する。
【００２】
【発明の技術的背景】
近年、洗剤や飲料は使い捨ての詰め替え用パックに収納して販売されることが多い。このような詰め替え流体パックは可撓性の袋に収納されているため、詰め替えているうちに袋の体積、形が変わり、内容物を無駄なく注ぎ出すのはきわめて煩わしい作業である。
このように、流体パックは移し替えが面倒なこともあって、適当な容器に入れてパックのまま注ぎ出すことができると便利である。
【００３】
【発明が解決しようとする課題】
ところが、従来の注ぎ出し容器は流体パックを入れて傾斜させると袋体内容物の重みで袋ごと注出容器から滑り落ちてしまう。このため、注ぎ出し容器を使用していながら両手を使わなければならないといった煩わしさがある。
【００４】
従って、本発明の目的は、容器を傾斜させても中の流体パックが滑り落ちないようにした流体パック用ピッチャーを提供することにある。
【００５】
【課題を解決するための手段】
上記の目的を達成するために、本発明の第１の流体パック用ピッチャーは、流体パックを受け入れる筒体容器の側面に把手を設けるとともに、把手上方の容器側面に所定巾の切欠き部を形成し、把手を掴んだ手の親指と人差指で容器内の流体パックの１側縁辺を抓むことができるようにしたことを特徴とする。
【００６】
上記の目的を達成するために、本発明の第２の流体パック用ピッチャーは、流体パックを受け入れる筒体容器の側面に把手を設けるとともに、容器上方へ延びるフレームを形成し、このフレームに容器内に収納した流体パックの上部縁辺を支持する上部係着手段を設け、さらに、筒体容器の把手下方から底板まで延びる切欠き開口部を形成し、切欠き開口部の底板縁辺に流体パックの下部縁辺を支持する下部係着手段を設けたことを特徴とする。
【００７】
この場合、さらに好ましくは、筒体容器の底板に、前記切欠き開口部へ向けて延び、流体パックの下部縁辺を受け入れる溝を形成するとともに、この溝から底板の外側へ突出するフレームを形成し、このフレームに流体パックの下部縁辺を支持する前記下部係着手段を設けたことを特徴とする。
【００８】
【発明の実施の形態】
以下、本発明の実施例を添付の図面に基づいて説明する。
図１は本発明による流体パック用ピッチャーの実施例を示すもので、この実施例のピッチャー１は上部に開口２を有する筒体容器３からなり、筒体容器３の側面に縦方向の把手４を設けてある。ピッチャー１は、図２に示す流体パック５を中に入れ、カットライン６に沿って切り開いた流体パック５の内容物を注ぐ際に、把手４を手で掴むと同時に中の流体パックを抓むことができるようにしたものである。
【００９】
このために、ピッチャー１は筒体容器３の側面に前記把手４を設けるとともに、把手４の上端と筒体容器３の上端開口縁辺間に、所定巾の切欠き部７を形成し、図３に示すように、把手４を掴んだ手の親指と人差指で、ピッチャー１の切欠き部７に露出している流体パック５の１側縁辺８を抓むことができるようにしてある。
【０１０】
この実施例では筒体容器３を傾けて流体パック５のカットライン６先端から内容物を注ぐ際に同じ手の指で流体パック５を支えることができるので、片手でも流体パック５が筒体容器３から抜け落ちることがない。
【０１１】
図４は本発明による流体パック用ピッチャーの他の実施例を示すもので、この実施例のピッチャー１は、筒体容器３の側面に把手４を設けるとともに、この把手４に上方へ延びる縦フレーム９を一体に形成し、この縦フレーム９の上部に筒体容器３内に入れた流体パック５の上部溶着縁辺１０ａの角部を支持するための上部係着手段１１ａを設けてある。
他方、筒体容器３の把手４の下方に、筒体容器３の底板１２まで延びる切欠き開口部１３を形成し、この切欠き開口部１３に臨む底板縁辺に流体パック５の下部溶着縁辺１０ｂの角部を支持するための下部係着手段１１ｂを設けてある。
【０１２】
図４の実施例の上部係着手段１１ａ及び下部係着手段１１ｂは、縮径頚部を有するボタン状突起で構成されている。
他方、このようなボタン状の係着手段１１ａ、１１ｂに支持される流体パック５は、図６のように、上部溶着縁辺１０ａ及び下部溶着縁辺１０ｂの各角部に上記ボタン状突起に対応するボタン穴１０ａ´、１０ｂ´を形成する。但し、上、下係着手段１１ａ、１１ｂはこの構造に限らずクリップその他の適宜の止め具を使用してもよい。
【０１３】
図４の実施例は、ピッチャー１の底板１２に下部係着手段１１ｂに至る直径方向の溝１４を設け、この溝１４に沿って突出するフレーム１５の溝延長側に前記下部係着手段１１ｂを設けてある。
この実施例では流体パック５の下部溶着縁辺１０ｂを溝１４に嵌めて安定支持させることができるとともに、溝１４の外側に出た流体パック５の下部溶着縁辺１０ｂの角部をそのままピッチャー１の下部係着手段１１ｂに係合させることができる。
【０１４】
かくして、図４のピッチャー１は、図５に示すように、筒体容器３の上部開口２から流体パック５を挿入し、流体パック５の上部溶着縁辺１０ａの角部に形成した上部ボタン穴１０ａ´をピッチャー１の上部係着手段１１ａ（ボタン状突起）に係合するとともに、下部溶着縁辺１０ｂの角部に形成した下部ボタン穴１０ｂ´をピッチャー１の下部係着手段１１ｂ（ボタン状突起）に係合して一体化し、流体パック５のピッチャーとして使用される。
【０１５】
【効果】
把手上方に切欠き部を形成した本発明のピッチャーは、把手を掴んだ手の親指と人差指で切欠き部に臨む流体パックの縁辺を抓むことができるので、注ぎ出しのために傾けても内部の流体パックがずり落ちるおそれがない。
【０１６】
筒体容器の下部に切欠き部を形成し、把手の上方及び下方に係着手段を設けた本発明のピッチャーは、内部の流体パックを上下で確実に支持するので、指で支えなくても片手で注出できるとともに、パックの形状が崩れないのでパック内容物を無駄なく出しきることができる。
【図面の簡単な説明】
【図１】本発明の実施例による流体パック用ピッチャーの透視図
【図２】図１実施例のピッチャー使用説明図
【図３】流体パック側面図
【図４】本発明の他の実施例による流体パック用ピッチャーの透視図
【図５】図４実施例のピッチャー使用説明図
【図６】図４実施例のピッチャーに挿入される流体パック側面図
【符号の説明】
１…流体パック用ピッチャー
２…開口
３…筒体容器
４…把手
５…流体パック
６…カットライン
７…切欠き部
８…１側縁辺
９…縦フレーム
１０ａ…上部溶着縁辺
１０ａ´…上部ボタン穴
１０ｂ…下部溶着縁辺
１０ｂ´…下部ボタン穴
１１ａ…上部係着手段
１１ｂ…下部係着手段
１２…底板
１３…切欠き開口部
１４…溝
１５…フレーム
【整理番号】ＰＡＳ００２―０１３
【図１】
2004035082.tif 000003
【図２】
2004035082.tif 000004
【図３】
2004035082.tif 000005
【図４】
2004035082.tif 000006
【図５】
2004035082.tif 000007
【図６】
2004035082.tif 000008